(57)【要約】【課題】ガラスが割れたとしても当該ガラスが外れないように保持することが可能な手摺りユニットを提供する。【解決手段】互いに間隔を隔てて設けられた複数の支柱と、前記複数の支柱に掛け渡され下方に開放された収容部を有する上弦材と、前記上弦材の前記収容部に上端部が収容され、飛散防止処理されているガラスと、前記上弦材と前記ガラスとの間に介在され、前記ガラスとともに前記収容部を下側から塞ぎ前記収容部に区画された空間を形成するビードと、前記空間にて前記上弦材、前記ガラス、及び、前記ビードを接着している接着剤と、を有する。【選択図】図２
2010185228.tif 000002
【特許請求の範囲】
【請求項１】
互いに間隔を隔てて設けられた複数の支柱と、
前記複数の支柱に掛け渡され下方に開放された収容部を有する上弦材と、
前記上弦材の前記収容部に上端部が収容され、飛散防止処理されているガラスと、
前記上弦材と前記ガラスとの間に介在され、前記ガラスとともに前記収容部を下側から塞ぎ前記収容部に区画された空間を形成するビードと、
前記空間にて前記上弦材、前記ガラス、及び、前記ビードを接着している接着剤と、を有することを特徴とする手摺りユニット。
【請求項２】
請求項１に記載の手摺りユニットであって、
前記上弦材は、前記空間と前記上弦材の上方とを連通し、前記空間に前記接着剤を注入するための注入孔を有することを特徴とする手摺りユニット。
【請求項３】
請求項２に記載の手摺りユニットであって、
前記上弦材は、長手方向における前記注入孔の両側に、前記注入孔と間隔を隔てて設けられ、注入された前記接着剤を確認するための確認孔を有することを特徴とする手摺りユニット。
【請求項４】
請求項１乃至請求項３のいずれかに記載の手摺りユニットであって、
前記上弦材の上に笠木が設けられていることを特徴とする手摺りユニット。
【請求項５】
請求項１乃至請求項４のいずれかに記載の手摺りユニットであって、
前記複数の支柱に掛け渡され上方に開放された収容部を有する下弦材を有し、
前記ガラスは、下端部が収容部内に収容され、前記収容部との間に介在されたビードにて保持されていることを特徴とする手摺りユニット。  
【発明の詳細な説明】
【技術分野】
【０００１】
本発明は、バルコニー等に設けられる手摺りユニットに関する。
【背景技術】
【０００２】
バルコニー等に設けられる手摺りユニットとして、例えば上胴縁に取り付けられた見切り材の溝部と下胴縁に取り付けられた見切材の溝部とにガラスの上下端部を嵌めたガラス組立体を有する手摺り構造が知られている (例えば、特許文献１参照)。
【先行技術文献】
【特許文献】
【０００３】
【特許文献１】特開平７−１７３８６９号公報
【発明の概要】
【発明が解決しようとする課題】
【０００４】
上記のような手摺り構造は、ガラスの下端が見切材の溝部に嵌め付けているだけなので、万一ガラスが割れたり、割れたガラスに対してガラス面と交差する方向に力が作用すると、ガラスが上下の胴縁から外れてしまう虞があり、割れたガラスを保持することができないという課題がある。  
本発明は、かかる課題に鑑みてなされたものであり、その目的とするところは、ガラスが割れたとしても当該ガラスが外れないように保持することが可能な手摺りユニットを提供することにある。
【課題を解決するための手段】
【０００５】
かかる目的を達成するために本発明の手摺りユニットは、互いに間隔を隔てて設けられた複数の支柱と、前記複数の支柱に掛け渡され下方に開放された収容部を有する上弦材と、前記上弦材の前記収容部に上端部が収容され、飛散防止処理されているガラスと、前記上弦材と前記ガラスとの間に介在され、前記ガラスとともに前記収容部を下側から塞ぎ前記収容部に区画された空間を形成するビードと、前記空間にて前記上弦材、前記ガラス、及び、前記ビードを接着している接着剤と、を有することを特徴とする手摺りユニットである。  
このような手摺りユニットによれば、上弦材の収容部に収容されたガラスの上端部と、上弦材とガラスとの間に介在されているビードとが接着剤により収容部と接着されているので、たとえ飛散防止処理されたガラスが割れたとしても、当該ガラスが外れて落ちないように保持することが可能である。
【０００６】
かかる手摺りユニットであって、前記上弦材は、前記空間と前記上弦材の上方とを連通し、前記空間に前記接着剤を注入するための注入孔を有することが望ましい。  
このような手摺りユニットによれば、収容部に形成された空間に接着剤を注入するための注入孔は、接着剤を注入すべき空間と上弦材の上方とを連通しているので、上弦材の上方から注入孔を通して接着剤を注入することにより、下側が塞がれた収容部内の空間に接着剤を容易に注入することが可能である。
【０００７】
かかる手摺りユニットであって、前記上弦材は、長手方向における前記注入孔の両側に、前記注入孔と間隔を隔てて設けられ、注入された前記接着剤を確認するための確認孔を有することが望ましい。  
このような手摺りユニットによれば、上弦材は、長手方向における注入孔の両側に注入された接着剤を確認するための確認孔を有しているので、確認孔から接着剤が見えるか、または、流出することにより、注入孔から注入された接着剤が少なくとも確認孔まで到達していることを確認することが可能である。このため、接着剤にて上弦材とガラスとビードとを確実に接着することが可能である。
【０００８】
かかる手摺りユニットであって、前記上弦材の上に笠木が設けられていることが望ましい。  
このような手摺りユニットによれば、接着剤が注入される注入孔や接着剤が流出する可能性がある確認孔が設けられている上弦材の上に笠木が設けられているので、注入孔や確認孔は笠木に覆われて外部に露出しない。このため、意匠性の高い手摺りユニットを実現することが可能である。
【０００９】
かかる手摺りユニットであって、前記複数の支柱に掛け渡され上方に開放された収容部を有する下弦材を有し、前記ガラスは、下端部が収容部内に収容され、前記収容部との間に介在されたビードにて保持されていることが望ましい。  
このような手摺りユニットによれば、ガラスの下端部は、下弦材の収容部に収容されてビードによって保持されているので、ビードを外すことによりガラスを下弦材から外すことが可能である。このため、ガラスが上弦材に接着されたままの状態でガラスを容易に取り外すことが可能である。
【発明の効果】
【００１０】
本発明によれば、ガラスが割れたとしても当該ガラスが外れないように保持することが可能な手摺りユニットを提供することが可能である。
【図面の簡単な説明】
【００１１】
【図１】本実施形態に係る手摺りユニットの外観斜視図である。
【図２】本実施形態に係る手摺りユニットの縦断面図ある。
【図３】ガラス上端側の取り付け部分を説明するための分解斜視図である。
【発明を実施するための形態】
【００１２】
以下、本発明の一実施形態に係る手摺りユニットについて図面を参照して説明する。
【００１３】
本実施形態の手摺りユニット１は、例えば、建物の外壁より外側のバルコニーなどに設けられ、外部との仕切りとなる手摺りユニット１である。バルコニーに設けられる手摺りユニットは、バルコニーを建物とともに囲むように、平面視にてＬ字状やコ字状など様々な形状をなすものが存在するが、以下の説明においては、手摺りユニットの直線状をなす部分について説明し、手摺りユニット１に沿う方向を長手方向、手摺りユニット１に直交する方向を屋内外方向とし、直線状の手摺りユニット１においてバルコニーの外側を屋外側、内側を建物側として示す。
【００１４】
手摺りユニット１は、図１、図２に示すように、バルコニーの床やパラペットなどの躯体３に、互いに間隔を隔てて立設された複数の支柱５と、複数の支柱５に掛け渡された上弦材１０及び下弦材２０と、上弦材１０に上端部３０ａが、下弦材２０に下端部３０ｂがそれぞれ収容されて保持された複数のガラス３０と、ガラス３０を上弦材１０及び下弦材２０に保持するためのビード５０、５１と、上弦材１０の上に取り付けられる手摺り笠木５５と、躯体３上を覆うとともに躯体３と支柱５との間に設けられた下笠木５６と、上弦材１０、ガラス３０、及びビード５０、５１を接着する接着剤としてのシーリング剤５３と、を有している。図１では、手摺りユニット１の構成を説明するために、２枚のガラス３０を示し、長手方向に連ねられている他のガラスを省略している。シーリング剤５３としては、上弦材１０、ガラス３０、及びビード５０、５１に対し接着性を有するシリコン系のシーリング剤が用いられている。
【００１５】
本実施形態の手摺りユニット１は、１枚のガラス３０の幅が例えば約１ｍであり、支柱５はガラスの幅とほぼ一致するように形成されている。すなわち、隣接する２本の支柱５間が１枚のガラス３０にて覆われるように構成されている。
【００１６】
ガラス３０は、飛散防止処理が施された強化ガラスであり、例えば飛散防止フィルムが貼り付けられた強化ガラスである。
【００１７】
支柱５は、図３に示すように、中空部５ａを有するアルミニウム製の押出成形部材であり、中空部５ａに挿入された支柱補強部材６の座部６ａがボルト６０にて躯体３に固定されている。また、支柱５の上端には、支柱５と上弦材１０とを、また、隣接する上弦材１０同士を、更に、支柱５と手摺り笠木５５とをそれぞれ連結するための連結板２６が、支柱５の小口を覆うように皿ビス６１にて固定されている。
【００１８】
連結板２６は、支柱５の小口より大きく形成された長方形状をなす平板部材であり、支柱５の小口を覆うとともに、長手方向において支柱５の両側と屋外側とに突出するように配置されている。連結板２６の、長手方向の両側に突出した部位には、手摺り笠木５５を固定するためのボルト６２が貫通される貫通孔２６ａが、左右に１つずつ設けられている。また、連結板２６の、屋外側に突出した部位には、長手方向の端部近傍に、隣接する上弦材１０を各々固定する皿ビス６３が貫通される貫通孔２６ｂが形成されている。すなわち、支柱５の上端の小口を覆うように固定された連結板２６は、屋外側に突出する部位が隣接する上弦材１０間に掛け渡されるように配置され、隣接する上弦材１０同士を連結している。
【００１９】
上弦材１０は、アルミニウム製の押出成形部材であり、ガラス３０の幅とほぼ同じ長さに形成されている。上弦材１０は、矩形状の中空部でなり連結板２６の貫通孔２６ｂを貫通した皿ビス６３が螺合される連結部１１と、下方に向かって開放され断面コの字状をなす溝状の収容部１２とが、連結部１１の屋外側の壁部１０ａと収容部１２の建物側の壁部１０ａとを共有するように形成されている。
【００２０】
連結部１１の上面１１ａは収容部１２の上面１２ａより連結板２６の厚みだけ低くなるように段差が形成されており、連結板２６の、支柱５より屋外側に突出した部位の下面２６ｄに連結部１１の上面１１ａが当接されて上弦材１０が皿ビス６３にて取り付けられる。連結板２６と上弦材１０とが取り付けられた際に、連結板２６と収容部１２の上面１２ａとがほぼ平坦になるように、皿ビス６１、６３が貫通される貫通孔２６ｂ、２６ｃの上縁側には皿もみが施されている。
【００２１】
収容部１２の下端側、すなわち、溝状をなす収容部１２の開放端側の屋外側には、ガラス３０を保持するために、ガラス３０よりも先に取り付けられる先付けビード５０の取付部１３と、建物側に収容部１２にガラス３０の上端部３０ａが挿入された後に装着されてガラス３０を保持するための後付けビード５１と係合する係合部１４とが設けられている。
【００２２】
取付部１３は、収容部１２を構成する屋外側の外壁部１２ｂの下端と、外壁部１２ｂの上下方向におけるほぼ中央から建物側に突出された突出部１３ａと、突出部１３ａの先端が互いに対向する側に延出された延出部１３ｂとにて、ほぼ区画された空間１３ｃが形成されており、区画された空間１３ｃと収容部１２内とは上下に設けられた延出部１３ｂ間に形成されたスリット１３ｄにより連通されている。
【００２３】
係合部１４は、収容部１２の建物側の壁部１０ａの下端側から屋外側に向かって順次上昇する傾斜を有するヒレ状の部位である。係合部１４は、収容部１２の建物側の壁部１０ａの下縁より僅か上側から突出されており、後付けビード５１が係合されると、連結部１１の下面１１ｂ、後付けビード５１の下面５１ｄ、収容部１２に設けられた下側の突出部１３ａの下面１３ｅとがほぼ平坦な面となるように形成されている。
【００２４】
また、上弦材１０の収容部１２の上面１２ａには、上弦材１０の上方と連通し、接着剤としてのシーリング剤５３を収容部１２内に注入するための注入孔１２ｃと、注入されたシーリング剤５３を確認するための２つの確認孔１２ｄとが、押出成形された後の上弦材１０に加工を施すことにより形成されている。
【００２５】
確認孔１２ｄは、上弦材１０の長手方向において注入孔１２ｃの両側に、注入孔１２ｃと互いに間隔を隔てて形成されている。これらの注入孔１２ｃ及び確認孔１２ｄは、１つの注入孔１２ｃと２つの確認孔１２ｄとを一組として、上弦材１０の長手方向における両端部近傍に一組ずつ設けられている。
【００２６】
下弦材２０は、上弦材１０と同一のアルミニウム製の押出成形部材であるが、長さはバルコニーの全長に渡って繋がって形成されている。下弦材２０は、支柱５に取り付けられた状態で、上弦材１０と上下が反転した状態で固定される。すなわち、矩形状の中空部をなす連結部２１と、上方に向かって開放された断面コの字状をなす溝状の収容部２２とが、連結部２１の屋外側の壁部２０ａと収容部２２の建物側の壁部２０ａとを共有するように形成されている。下弦材２０側にはシーリング剤５３を注入しないので、注入孔及び確認孔は形成されていない。
【００２７】
下弦材２０は、固定部材３５を介して複数の支柱５に取り付けられている。固定部材３５は、支柱５の屋外側に臨む面５ｂに当接されてビス止めされる支柱当接部３５ａと下弦材２０の連結部２１の上面２１ａに当接されてビス止めされる連結部当接部３５ｂとが一体に形成された、断面がＬ字状の部材である。
【００２８】
先付けビード５０は、上弦材１０及び下弦材２０の長手方向に沿って上弦材１０及び下弦材２０の全域に設けられ、上弦材１０とガラス３０との間、及び下弦材２０とガラス３０との間に介在される半硬質樹脂と軟質樹脂とを組合せた樹脂製である。先付けビード５０は、上弦材１０及び下弦材２０の取付部１３、２３が有する空間１３ｃ、２３ｃに、一部が収容されるとともに、空間１３ｃ、２３ｃに収容された部位とスリット１３ｄ、２３ｄを通して繋がり、収容部１２、２２内に突出されたガラス保持部５０ａを有している。ガラス保持部５０ａの先端側は、上下方向において３枚のヒレ状に形成されている。
【００２９】
後付けビード５１は、上弦材１０及び下弦材２０の長手方向に沿って、収容部１２、２２に挿入されたガラス３０と収容部１２、２２の係合部１４、２４との間に全域に渡って挿入される硬質樹脂と軟質樹脂とを組合せた樹脂製である。後付けビード５１は、平坦な面を有する平板部５１ａと平板部５１ａの屋内外方向の中央から突出され、先端側に向かって僅かに細くなるようなテーパーが設けられた鉛直部５１ｂと、鉛直部５１ｂの先端にて建物側に屈曲されて、上弦材１０及び下弦材２０の係合部１４、２４と係合することにより、後付けビード５１が抜けることを防止する抜け防止片５１ｃとを有している。ここで、先付けビード５０と後付けビード５１とは、ガラス３０の上端部３０ａ側と下端部３０ｂ側とに同一の部材が取り付けられており、取り付けられた際には上下の方向が反転する。
【００３０】
手摺り笠木５５は、上方に湾曲した上面部５５ａと、上面部５５ａの屋外側の縁から垂設された外面部５５ｂと、上面部５５ａの屋内側の縁から垂設された内面部５５ｃと、外面部５５ｂと内面部５５ｃとの下縁を連結する下面部５５ｄと、上面部５５ａ、外面部５５ｂ、内面部５５ｃ、下面部５５ｄにて囲まれた空間内に上下方向に沿って設けられた補強用リブ５５ｅと、手摺り笠木５５を連結板２６に固定するためのボルト６２が螺合されるナット６５が収容されるナット収容部５５ｆとを有している。なお、ナット６５はボルト６２が螺合される穴にネジ溝が設けられている平板状の裏板を使用しても良い。
【００３１】
下面部５５ｄには、支柱５に取り付けられた上弦材１０及び連結板２６を収容するために、上方に窪ませた凹部５５ｇが、長手方向に沿って形成されている。ナット収容部５５ｆは、凹部５５ｇの上に設けられている。
【００３２】
このような手摺りユニット１の施工は、まず、上弦材１０と下弦材２０とに先付けビード５０を取り付けておく。
【００３３】
次に、パラペット（躯体）３上に、支柱５を取り付けるための複数の支柱補強部材６と下笠木５６とを取り付ける。このとき、複数の支柱補強部材６は座部６ａがパラペット３に固定されると、支柱５内に挿入される補強部６ｂが、パラペット３に沿って、ほぼガラス３０の幅と同じ間隔を隔てて鉛直に立設される。
【００３４】
立設された複数の支柱補強部材６の補強部６ｂに各々支柱５を被せるように配置し、支柱補強部材６と支柱５とをビス６４にて固定する。
【００３５】
そして、各支柱５の上端には、小口を覆うように連結板２６を皿ビス６１にて各々固定し、支柱５の下部には、各支柱５間に掛け渡ように配置した下弦材２０を固定部材３５を介してビス６６で固定する。このとき、下弦材２０の下にはセッティングブロック５８を設けておく。
【００３６】
固定された下弦材２０の収容部２２にガラス３０の下端部３０ｂを収容するとともに、隣接する支柱５に跨るようにガラス３０を配置する。このとき、ガラス３０は収容部２２内に配置されたセッティングブロック５８上に載置される。
【００３７】
次に、上弦材１０を、収容部１２にガラス３０の上端部３０ａが収容されるように配置するとともに、ガラス３０の左右端と屋内外方向に重なる支柱５の上端に取り付けられた連結板２６に上弦材１０の端部をそれぞれビス止めする。このとき、隣接する上弦材１０同士が連結板２６にて連結される。
【００３８】
その後、上弦材１０と下弦材２０とに収容されているガラス３０の建物側に後付けビード５１を嵌め込んでガラス３０を固定する。このとき、上弦材１０の収容部１２の開放された下側の端部は、ガラス３０の上端部３０ａ、先付けビード５０、及び、後付けビード５１により塞がれ、収容部１２内に区画された空間１５が形成される。
【００３９】
次に、上弦材１０の収容部１２の上面１２ａに形成された注入孔１２ｃから接着剤としてのシーリング剤５３を、注入孔１２ｃの両側に形成されている確認孔１２ｄにて確認できるまで注入する。このとき、注入孔１２ｃから注入されたシーリング剤５３は、ガラス３０の上端部３０ａ、先付けビード５０、及び、後付けビード５１により収容部１２内の区画された空間１５に注入され、区画された空間１５内を注入孔１２ｃ側から充満するように、注入孔１２ｃから左右両方向に広がるように注入されていく。そして、注入されたシーリング剤５３が、注入孔１２ｃと間隔を隔てて設けられた確認孔１２ｄから出てくることにより、注入孔１２ｃから確認孔１２ｄまでの間にシーリング剤５３が充填されたことが確認される。このため、注入孔１２ｃと確認孔１２ｄとの間隔を広げることにより注入されるシーリング剤５３の量が多くなって接着強度が高くなり、狭めることにより注入されるシーリング剤５３の量が少なくなって接着強度が低くなる。すなわち、注入孔１２ｃと確認孔１２ｄとの間隔は、所望の接着強度に合わせて適宜設定可能である。このように各ガラス３０は、後付けビード５１にて嵌入した後に、シーリング剤５３を注入することにより上弦材１０に取り付けられる。
【００４０】
最後に、上弦材１０及び連結板２６の上に手摺り笠木５５を、手摺り笠木５５の凹部５５ｇに上弦材１０の上部及び連結板２６が挿入されるように載置し、各支柱５に取り付けられて左右両側突出されている連結板２６の部位に設けられた貫通孔２６ａを貫通させたボルト６２を手摺り笠木５５に収容されたナット６５に螺合して、手摺り笠木５５を連結板２６に固定する。
【００４１】
本実施形態の手摺りユニット１によれば、上弦材１０の収容部１２に収容されたガラス３０の上端部３０ａと、上弦材１０とガラス３０との間に介在されている先付けビード５０及び後付けビード５１とがシーリング剤５３により収容部１２と接着されているので、たとえ飛散防止処理されたガラス３０が割れたとしても、当該ガラスが外れて落ちないように長時間保持することが可能である。
【００４２】
また、収容部１２に形成された空間１５にシーリング剤５３を注入するための注入孔１２ｃは、シーリング剤５３を注入すべき収容部１２に形成された空間１５と上弦材１０の上方とを連通しているので、上弦材１０の上方から注入孔１２ｃを通してシーリング剤５３を注入することにより、下側が塞がれた収容部１２内の空間１５にシーリング剤５３を容易に注入することが可能である。
【００４３】
また、上弦材１０には、長手方向における注入孔１２ｃの両側に注入されたシーリング剤５３を確認するための確認孔１２ｄが設けられているので、確認孔１２ｄからシーリング剤５３が見えるか、または、流出することにより、注入孔１２ｃから注入されたシーリング剤５３が少なくとも確認孔１２ｄまで到達していることを確認することが可能である。このため、シーリング剤５３にて上弦材１０とガラス３０と先付けビード５０及び後付けビード５１とを確実に接着することが可能である。
【００４４】
また、シーリング剤５３が注入される注入孔１２ｃやシーリング剤５３が流出する可能性がある確認孔１２ｄが設けられている上弦材１０の上には、手摺り笠木５５が設けられているので、注入孔１２ｃや確認孔１２ｄは手摺り笠木５５に覆われて外部に露出しない。このため、意匠性の高い手摺りユニット１を実現することが可能である。
【００４５】
また、ガラス３０の下端部３０ｂは、下弦材２０の収容部２２に収容されて先付けビード５０と後付けビード５１とによって保持されているので、後付けビード５１を外すことによりガラス３０を下弦材２０から容易に外すことが可能である。このため、上弦材１０に接着されたままの状態でガラス３０を容易に取り外すことが可能である。
【００４６】
上記実施形態においては、接着剤としてシリコン系のシーリング剤を用いた例について説明したが、接着剤としてはシリコン系のシーリング剤に限らず、また、シーリング剤に限るものでもなく、上弦材１０、ガラス３０、及びビード５０、５１に対し接着性を有するものであれば構わない。
【００４７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  手摺りユニット、５  支柱、１０  上弦材、１２  収容部、１２ｃ  注入孔、
１２ｄ  確認孔、１５  区画された空間、２０  下弦材、２２  収容部、
３０  ガラス、３０ａ  上端部、３０ｂ  下端部、５０  先付けビード、
５１  後付けビード、５３  シーリング剤、５５  手摺り笠木
【図１】
2010185228.tif 000003
【図２】
2010185228.tif 000004
【図３】
2010185228.tif 000005